(57)【要約】      （修正有）【課題】画像形成装置のメカ部品の駆動電圧、ＧＮＤや他の出力電圧等が短絡した時、監視電圧が一定値以下になったことをＣＰＵにて検知して、電源出力と短絡部位を遮断することにより、短絡による異常状態を止める。【解決手段】モータやソレノイド等のメカ駆動直流電圧（Ｖ３）がＧＮＤや他の出力電圧等と短絡した場合に、メカ駆動直流電圧（Ｖ３）とメカ駆動／制御部用直流電圧（Ｖ２）が低下する。これにより、ＣＰＵ８からリレー３がＯＦＦとなるリレー制御信号（Ｖ６）を出力しリレー３がＯＦＦとなる（Ｓ６）。そのため、ＧＮＤや他の出力電圧等と短絡しているメカ部品４がメカ駆動／制御部用直流電源部２と遮断（Ｓ７）され、直流電源部１が過電流状態から保護される。【選択図】  図１
2007316413.tif 000002
【特許請求の範囲】
【請求項１】
商用電源電圧を入力としメカ駆動／制御部用直流電圧を出力するメカ駆動／制御部用直流電源部と、前記メカ駆動／制御部用直流電圧を入力とし制御部用直流電圧を出力する制御部用直流電源部と、ＣＰＵを有する制御部と、前記メカ駆動／制御部用直流電圧を前記制御部からのリレー制御信号によりＯＦＦ／ＯＮ制御しメカ駆動直流電圧として出力するリレーと、前記リレーの出力のメカ駆動直流電圧で動作するメカ部品と、画像形成装置の状態を表示する操作パネルから構成される画像形成装置において、前記メカ駆動直流電圧が、ＧＮＤや他の出力電圧等と短絡した場合に、前記制御部にて前記メカ駆動直流電圧の出力電圧異常を検知し、前記メカ駆動直流電圧の前記リレーをＯＦＦさせることを特徴とする画像形成装置。
【請求項２】
前記操作パネル上に前記メカ駆動直流電圧の異常を表示することを特徴とする請求項１記載の画像形成装置。
【請求項３】
前記リレーをＯＦＦにする電圧値の設定を、前記操作パネル上で変更できることを特徴とする請求項１または２記載の画像形成装置。
【発明の詳細な説明】
【技術分野】
【０００１】
本発明は、電子写真技術を利用した複写機やプリンタなど、特に、メカ駆動直流電圧がＧＮＤや他の出力電圧等と短絡した異常時に、電源を保護する画像形成装置に関するものである。
【背景技術】
【０００２】
画像形成装置の電源出力がＧＮＤや他の出力電圧等と短絡した場合、過電流から電源を保護する方法として、従来、過電流が流れると電源出力を遮断するヒューズ等の部品を使用していた。
【発明の開示】
【発明が解決しようとする課題】
【０００３】
モータやソレノイド等の駆動電圧、ＧＮＤや他の出力電圧が短絡した時に、従来の過電流保護回路では電源のバラツキにより過電流時の電流値が異なり、電源の出力を遮断するまでに時間がかかり、さらに遮断しない場合があった（例えば、特許文献１参照）。
【０００４】
【特許文献１】特開平１１−１３６８４８号公報
【課題を解決するための手段】
【０００５】
本発明は、商用電源電圧を入力としメカ駆動／制御部用直流電圧を出力するメカ駆動／制御部用直流電源部と、前記メカ駆動／制御部用直流電圧を入力とし制御部用直流電圧を出力する制御部用直流電源部と、ＣＰＵを有する制御部と、前記メカ駆動／制御部用直流電圧を前記制御部からのリレー制御信号によりＯＦＦ／ＯＮ制御しメカ駆動直流電圧として出力するリレーと、前記リレーの出力のメカ駆動直流電圧で動作するメカ部品と、画像形成装置の状態を表示する操作パネルから構成される画像形成装置において、前記メカ駆動直流電圧が、ＧＮＤや他の出力電圧等と短絡した場合に、前記制御部にて前記メカ駆動直流電圧の出力電圧異常を検知し、前記メカ駆動直流電圧の前記リレーをＯＦＦさせることを特徴とする。
【０００６】
また、前記操作パネル上に前記メカ駆動直流電圧の異常を表示することを特徴とする。
【０００７】
また、前記リレーをＯＦＦにする電圧値の設定を、前記操作パネル上で変更できることを特徴とする。
【発明の効果】
【０００８】
本発明によれば、メカ部品の駆動電圧、ＧＮＤや他の出力電圧等が短絡した時、監視電圧が一定値以下になったことをＣＰＵにて検知して、電源出力と短絡部位を遮断することにより、短絡による異常状態を止めることができる。
【発明を実施するための最良の形態】
【０００９】
本発明の目的は、ヒューズや過電流検出回路を設けなくても、電源出力の電圧をＣＰＵにて監視し、電源出力がＧＮＤや他の出力電圧等と短絡したような異常状態を、電源電圧が一定値以下になったことをＣＰＵにて検知して、電源出力と短絡部位を遮断することにより電源を保護する画像形成装置を提供することにある。
【００１０】
以下に本発明の一実施例に係るメカ駆動直流電圧とＧＮＤが短絡した時の動作を、図を用いて説明する。
【００１１】
図１は本発明の画像形成装置の電源回路ブロック図である。
【００１２】
商用電源電圧（Ｖ１）の直流電源部１への供給により、メカ駆動／制御部用直流電源部２は、メカ駆動／制御部用直流電圧（Ｖ２）を出力し、制御部用直流電源部５に供給され制御部用直流電圧（Ｖ４）を出力する。
【００１３】
制御部７のＣＰＵ８内のＡ／Ｄ変換器９で、制御部用直流電圧（Ｖ４）を分圧抵抗６で分圧されたＣＰＵ監視電圧（Ｖ５）をアナログ値で監視し、ＣＰＵ８のマイクロプログラムで設定している値（操作パネル上で変更可能）以上となった場合は、ＣＰＵ８からリレーＯＮのリレー制御信号（Ｖ６）を出力してリレー３がＯＮとなり、メカ駆動／制御部用直流電圧（Ｖ２）がそのままメカ駆動直流電圧（Ｖ３）としてメカ部品４に供給される。暫くして印刷が可能な状態になる。
【００１４】
制御部用直流電圧（Ｖ４）が低下しＡ／Ｄ変換器９に入力されるＣＰＵ監視電圧（Ｖ５）がＣＰＵ８のマイクロプログラムで設定している値以下となった場合、ＣＰＵ８よりリレーＯＦＦのリレー制御信号（Ｖ６）が出力されリレー３がＯＦＦとなり、メカ駆動／制御部用直流電圧（Ｖ２）とメカ駆動直流電圧（Ｖ３）が遮断され、メカ駆動直流電圧（Ｖ３）が低下しメカ部品４に電圧が供給されなくなる。
【００１５】
次に、図２、図３を用いて、本発明をさらに詳細に説明する。
【００１６】
印刷動作待機状態／印刷動作状態（Ｓ１）においてメカ部品４のメカ駆動直流電圧（Ｖ３）とＧＮＤが短絡（Ｓ２）するような異常状態になった時、メカ駆動／制御部用直流電源部２の出力が過電流状態となりメカ駆動直流電圧（Ｖ３）とメカ駆動／制御部用直流電圧（Ｖ２）がＧＮＤレベルまで低下する（Ｓ３）。この時、制御部用直流電源部５の入力であるメカ駆動／制御部用直流電圧（Ｖ２）が低下することにより、出力の制御部用直流電圧（Ｖ４）が定格電圧を保てず電圧が低下し、分圧抵抗６の分圧電圧であるＣＰＵ監視電圧（Ｖ５）も低下する（Ｓ４）。ＣＰＵ監視電圧（Ｖ５）はＡ／Ｄ変換器（アナログ／デジタル変換器）９により数値化されＣＰＵ８のマイクロプログラムで設定している値以下になると、電圧異常が発生したことをＣＰＵ８のマイクロプログラムが検知する（Ｓ５）。これによりＣＰＵ８からリレー３がＯＦＦとなるリレー制御信号（Ｖ６）を出力しリレー３がＯＦＦとなる（Ｓ６）。そのため、ＧＮＤと短絡しているメカ部品４がメカ駆動／制御部用直流電源部２と遮断（Ｓ７）され、直流電源部１が過電流状態から保護されるため、メカ駆動／制御部用直流電圧（Ｖ２）と制御部用直流電圧（Ｖ４）が回復する（Ｓ８）。
【００１７】
この後、ＣＰＵ８よりリレーＯＦＦのリレー制御信号（Ｖ６）を出力してから一定時間経過後に表示パネル１０にメカ駆動直流電圧（Ｖ３）が異常であることを表示する。ここで一定時間経過後に異常であることを表示しているが、これは正常時の画像形成装置の電源断動作においてもメカ駆動／制御部用直流電圧（Ｖ２）の低下によるＣＰＵ監視電圧（Ｖ５）の低下が発生し、ＣＰＵ８にてメカ駆動直流電圧（Ｖ３）が異常であると誤検知する可能性があるので、正常時の電源断動作が完了した後にメカ駆動直流電圧（Ｖ３）が異常であることを表示するためである。
【００１８】
また、ＣＰＵ８のマイクロプログラム上のメカ駆動電圧異常と判断する設定値を操作パネル上で変更することにより、部品等を変更せずにメカ部品４のメカ駆動直流電圧（Ｖ３）とＧＮＤ短絡時の異常検知電圧を調整することができる。
【００１９】
このように、メカ駆動直流電圧（Ｖ３）とＧＮＤの短絡を確実に検知し、短絡個所を遮断することにより直流電源部１を保護することができる。
【図面の簡単な説明】
【００２０】
【図１】本願発明の画像形成装置の電源回路ブロック図。
【図２】メカ部品のメカ駆動直流電圧とＧＮＤが短絡した時のフローチャート図。
【図３】メカ部品のメカ駆動直流電圧とＧＮＤが短絡した時のタイムチャート図。
【符号の説明】
【００２１】
１  ：直流電源部
２  ：メカ駆動／制御部用直流電源部
３  ：リレー
４  ：メカ部品
５  ：制御部用直流電源部
６  ：分圧抵抗
７  ：制御部
８  ：ＣＰＵ
９  ：Ａ／Ｄ変換器
１０：操作パネル
【図１】
2007316413.tif 000003
【図２】
2007316413.tif 000004
【図３】
2007316413.tif 000005